(57)【要約】【課題】取扱容易で構造が簡易でありながら、水中に投入が容易でありつつ、熱処理も可能である、水中に投下して使用可能な集魚灯を提供する。【解決手段】本発明の集魚灯１は、水中に投入して使用可能な集魚灯であって、複数の発光素子５を実装する板状の実装部材３であって、３枚以上の複数の実装部材３と、複数の実装部材３のそれぞれの端部が縦方向に接続されることで形成される中空空間４と、発光素子５を防水する防水カバー６と、を備え、中空空間４は、集魚灯１が水中に投入される落下方向に沿って形成されており、中空空間４には、集魚灯１が水中に投入されるに従って水が流入して集魚灯１の浮力を減少させると共に、水が流入して複数の実装部材３を冷却する。【選択図】図１
2014018157.tif 000002
【特許請求の範囲】
【請求項１】
水中に投入して使用可能な集魚灯であって、
複数の発光素子を実装する板状の実装部材であって、３枚以上の複数の前記実装部材と、
前記複数の実装部材のそれぞれの端部が縦方向に接続されることで形成される中空空間と、
前記発光素子を防水する防水カバーと、を備え、
前記中空空間は、前記集魚灯が水中に投入される落下方向に沿って形成されており、
前記中空空間には、前記集魚灯が水中に投入されるに従って水が流入して前記集魚灯の浮力を減少させると共に、水が流入して前記複数の実装部材を冷却する、集魚灯。
【請求項２】
前記複数の実装部材のそれぞれは、その裏面を前記中空空間に対向させ、表面に複数の発光素子を実装する、請求項１記載の集魚灯。
【請求項３】
前記中空空間は、前記集魚灯の縦方向の上部に上部開口部を有し、前記集魚灯の縦方向の下部に下部開口部を有する、請求項１又は２記載の集魚灯。
【請求項４】
前記集魚灯が水中に投入される際には、前記下部開口部もしくは前記上部開口部から前記中空空間に水が流入して、流入した水が上部開口部もしくは前記下部開口部より吐出されることで、前記集魚灯の浮力が減少すると共に、前記複数の実装部材の裏面の熱が奪われる、請求項３記載の集魚灯。
【請求項５】
前記複数の実装部材が３枚の場合には、前記中空空間の前記上部開口部および前記下部開口部のそれぞれは、略三角形を有し、前記複数の実装部材が４枚の場合には、前記上部開口部および前記下部開口部のそれぞれは、略四角形を有し、前記複数の実装部材が５枚以上の場合には、前記上部開口部および前記下部開口部のそれぞれは、当該枚数に合わせた多角形を有する、請求項４記載の集魚灯。
【請求項６】
前記複数の実装部材のそれぞれは、長辺と短辺を有する長方形の板状であり、前記複数の実装部材のそれぞれの長辺同士が接続されることで、縦方向に長い前記中空空間が形成される、請求項１から５のいずれか記載の集魚灯。
【請求項７】
前記上部開口部および前記下部開口部とは、水中への投入時の圧力、水中での水圧差、水中での温度差および水中での潮目変化の少なくとも一つによって、前記中空空間の水を移動させ、前記複数の実装部材の裏面の熱を奪う、請求項３から６のいずれか記載の集魚灯。
【請求項８】
前記中空空間の中央付近の横断面積は、前記上部開口部および前記下部開口部の開口面積よりも小さい、請求項３から７のいずれか記載の集魚灯。
【請求項９】
前記中空空間は、水の移動を促進する回転ファンおよび吸引ポンプの少なくとも一方を内部に備える、請求項１から８のいずれか記載の集魚灯。
【請求項１０】
前記集魚灯は、前記中空空間が水中に対して略垂直方向に水を流入させるので、前記複数の実装部材の表面に実装されている前記複数の発光素子は、水中において略横方向に、光を照射する、請求項１から９のいずれか記載の集魚灯。
【請求項１１】
前記実装部材の少なくとも表面は、防水されている、請求項１から１０のいずれか記載の集魚灯。
【請求項１２】
前記複数の実装部材のある実装部材の表面に実装されている前記発光素子と、別の実装部材の表面に実装されている前記発光素子は、輝度および色度の少なくとも一つで異なる発光を可能である、請求項１から１１のいずれか記載の集魚灯。
【請求項１３】
前記複数の実装部材のそれぞれは、前記中空空間および前記集魚灯全体の外形を形成する外板、前記外板に積層される熱伝導率の高い基材、前記基材に積層される回路基板および前記回路基板にベアチップ実装される前記発光素子を備えて板状である、請求項１から１２のいずれか記載の集魚灯。
【請求項１４】
前記複数の実装部材のそれぞれは、前記中空空間および前記集魚灯全体の外形を形成する外板、前記外板に積層される熱伝導率の高い基材、および前記基板にベアチップ実装される前記発光素子を備える板状を有する、請求項１から１３のいずれか記載の集魚灯。
【請求項１５】
前記発光素子および前記回路基板が発生する熱は、前記基材を介して、前記外板に伝導される、請求項１３又は１４記載の集魚灯。
【請求項１６】
前記実装部材の裏面であって前記中空空間を形成する面は、凸凹を有している、請求項１から１５のいずれか記載の集魚灯。
【発明の詳細な説明】
【技術分野】
【０００１】
本発明は、ＬＥＤ（Ｌｉｇｈｔ  Ｅｍｉｔｔｉｎｇ  Ｄｉｏｄｅ）などの発光ダイオードや発光半導体素子などを始めとする発光素子を用いて、海中や水中に沈めて集魚を行う集魚灯に関する。
【背景技術】
【０００２】
従来の蛍光灯や白熱電球に代わる新しい光源としてＬＥＤを始めとする発光素子が集魚灯に用いられることが多くなっている。ＬＥＤを始めとする半導体を利用した発光素子は、小型であること、消費電力が小さいことおよび発光色や発光パターンを容易に制御できること、などのメリットを提供できる。
【０００３】
特に、ＬＥＤを始めとする半導体素子を用いた発光素子は、長寿命および低消費電力であることから環境負荷が小さいとの理由で、発光素子は、従来の電球や蛍光灯に置き換えられつつある。
【０００４】
このため、室内の照明や屋外の街灯など、従来は電球やＨＩＤランプ（high-intensity discharge lamps）であることが普通であった集魚灯においても、電球やＨＩＤランプからＬＥＤなどの発光素子に置き換わる動きが大きくなっている。このような電球やＨＩＤランプから、ＬＥＤなどの発光素子への置き換えは、その他の分野にも進んでいる。例えば、漁船が魚を集めるために用いる集魚灯などにも、置き換えの動きが生じ始めている。
【０００５】
ここで、発光力を有する集魚灯を用いる漁法では、一般的には船の上から界面を照射して、海面に漁獲対象となる魚を集める。漁獲対象となる魚が、集魚灯によって照射される海面の明るさにひかれて、海面に集まりやすくなるからである。例えば、船に集魚灯が設置され、船の上から海面を照射して、目的の魚を集めたところで、漁師が網やその他の手法で、集まったこれらの魚を捕獲する。
【０００６】
ここで、集魚灯は、非常に高い輝度を要求する。夜の海上で効果的に魚を集めるには、高い輝度の光を、海面に照射する必要があるからである。また、集魚灯は、海面に光を照射するだけでなく、海面への照射から海中にも光を伝えつつ、海面およびこの海面下を照射することが好適である。海面下まで照射できることで、集魚灯は、海中を回遊する魚を海面近くまで集めることができ、魚の捕獲がより容易となるからである。
【０００７】
このため、現状においては、高い輝度で発光できるハロゲンランプやＨＩＤランプなどの電球が用いられることが多い。しかしながら、ハロゲンランプやＨＩＤランプなどの電球は、寿命が短い上に高い電力を必要とする。このため、維持費用が高くなるなど、漁業関係者にとって不都合であった。
【０００８】
加えて、ＨＩＤランプのような高い輝度を有する電球からは、非常に強い紫外線の照射があり、ハロゲンランプにおいては、強い発熱を作業者である漁師に与えることになり、漁師の健康被害などの問題も発生していた。
【０００９】
このような環境下で、従来型の電球を用いた集魚灯のランニングコストが高い問題や健康被害などの問題に、電球やＨＩＤランプから発光素子への置き換えの流れと、が相まって、集魚灯にＬＥＤが用いられる技術が提案されている（例えば、特許文献１）。
【００１０】
しかしながら、ＬＥＤは、単一素子ではハロゲンランプやＨＩＤランプの輝度よりも低い。このため、集魚灯としての十分な光量を確保するためには、複数のＬＥＤを集積して実装した集魚灯が提供される必要があった。あるいは、非常に高輝度のＬＥＤを実装した集魚灯が提供される必要があった。しかし、このように多数のＬＥＤが実装されたり高輝度のＬＥＤが用いられたりする場合には、ＬＥＤが発する熱が大きくなり、実施における問題や耐久性の問題などが生じていた。
【００１１】
このような、ＬＥＤの高密度化や高輝度化に合わせて発熱が大きくなる問題に対して、冷却用の冷媒を用いて冷却する技術が提案されている（例えば、特許文献２参照）。
【００１２】
一方で、近年の研究で効率的に魚を集めるには、船の上から海面や海面の直下を照射するだけでなく、海中での照射が効率的であることも分かってきている。海中における照射によって、海中の一定の深さに存在していたり回遊していたりする魚を、まず一定の領域に集めることを、前提とすることが好適であることが分かってきている。このように、海中で光を照射できるように、集魚灯を海中に沈める技術も提案されている（例えば、特許文献３参照）。
【先行技術文献】
【特許文献】
【００１３】
【特許文献１】特開２００９−１４０８８６公報
【特許文献２】国際公開ＷＯ２００７／０９６９３８号公報
【特許文献３】特開２００５−９５１２３号公報
【発明の概要】
【発明が解決しようとする課題】
【００１４】
特許文献１は、発光ダイオードを用いた集魚灯であって、発光ダイオードの周囲を防水カバーで覆った集魚灯を開示する。特許文献１は、従来のハロゲンランプなどの電球を用いた集魚灯を発光ダイオードに置き換える技術を開示している。
【００１５】
すなわち、特許文献１は、発光ダイオードによって低消費電力や健康被害の低減を目的とする集魚灯を開示する。
【００１６】
しかしながら、特許文献１の集魚灯は、ハロゲンランプなどの電球を発光ダイオードに置き換える技術を提案するだけで、発光ダイオードによって魚を効果的に集めたり、追い返したりする具体的な技術を開示していない。加えて、発光ダイオードは低消費電力ではあるが、高い輝度での光を照射するには、発光ダイオードに高い電力を付与する必要がある。しかしながら、発光ダイオードに高い電力が付与されると、発光ダイオードの発熱が高まって、発光効率の低下と発光ダイオードの故障などにつながる問題がある。
【００１７】
特許文献１に開示される集魚灯は、魚を効果的に集めたり追い返したりすることができない問題を有している。加えて、発熱に対処しつつ十分な輝度の光を照射できない問題も有している。
【００１８】
特許文献２は、ＬＥＤを実装する面を有する棒状（板状）の集魚灯であって、棒状もしくは板状の内部に、冷媒を循環させる冷媒循環路を有する集魚灯を開示する。特許文献２に開示される集魚灯は、船の上で用いられて、船の上から海面を照射することを目的としている。この海面の照射の際に、集魚灯に実装されているＬＥＤを極めて高輝度で発光させる必要があるので、ＬＥＤおよびその基板は高い熱を発生させてしまう。このため、特許文献２に開示される集魚灯は、海水をポンプでくみ上げて、この冷媒循環路を循環させてこの熱を冷却することを目的としている（例えば、特許文献２の（００７５）段に記載）。
【００１９】
しかしながら、冷媒を汲みあげるためのポンプや、ポンプからの冷媒を循環路で循環させて排出させるための構造など、複雑な機械や装置を必要とする。もちろん、電力を消費する必要もあり、節電や燃料高騰に苦しむ漁業関係者にとっては、好ましくない。もちろん、冷媒循環路は、棒状あるいは板状の筐体内部に設けられているだけなので、熱の排出効率が悪く、ＬＥＤの発光輝度を極めて高くすることも難しい問題がある。
【００２０】
また、特許文献２に開示される集魚灯は、船の上から海面を照射することを目的としており（このため、海中からポンプで汲みあげた海水を冷媒循環路に循環させる）、海中に投入して海中を照射することには不適である。ＬＥＤやその他の電子回路の防水密封の問題もあるが、構造上簡単に海中に沈みにくいからである。集魚灯は、ＬＥＤや電子回路（加えて棒状や板状の筐体であって、樹脂等の筐体）を有しているので、海中に沈みにくい。また、海中に沈ませた場合には、ポンプから汲みあげた海水を冷媒循環路に循環させることが難しい問題も有している。
【００２１】
当然ながら、特許文献２に開示される集魚灯は、一方の面もしくはこれと逆側の面のように、一次元もしくは二次元にしか光を照射できず、船の上から海面を照射することのみを前提としかしていない。すなわち、海中に投入して、魚を集めることには不適である。もちろん、船の上からの照射を前提としているので、特定方向への照射量を多くする必要があるので、特許文献２の技術は、ある面や領域に高密度実装されたＬＥＤによって発生する熱を、ポンプでくみ上げた海水による冷媒循環で対応する対症療法的な技術を開示している。
【００２２】
特許文献３は、海面のみならず、水中にも投入してＬＥＤの光を照射して魚を集める集魚灯を開示している。特許文献３は、ぶら下げながら水中に投入する紐に、ＬＥＤの発光素子を取り付けた集魚灯を開示している。ＬＥＤの周囲を防水にすることで、船の上から水中にＬＥＤを投入し水中をＬＥＤの光によって照射する技術である。
【００２３】
しかしながら、ＬＥＤを高密度に実装したり、高輝度に制御したりすることはできない。特許文献３に開示される技術での構造上の問題にも依存するし、ＬＥＤを高密度に実装したり高輝度に制御したりすることで、ＬＥＤや回路基板は、高い発熱を生じさせるが、特許文献３は、これに対応することが難しい。ＬＥＤそのものは、水中に投入されるが、ＬＥＤの周りは防水されており、ＬＥＤあるいはＬＥＤを制御する電子回路が、効率的に冷却される構造ではない。
【００２４】
このため、特許文献３に開示される集魚装置は、水中に投入されるものの、冷却の不十分性によって、ＬＥＤの高密度化や高輝度化といった性能を発揮させることが難しい問題を有している。また、ＬＥＤの実装構造によっては、浮力が生じてしまい、水中に沈めにくかったり、狙い通りの場所に沈めにくかったりする問題もある。
【００２５】
このように、冷却の不十分や沈めにくさなどによって、特許文献３に開示される集魚装置は、水中の狙い通りの場所に投入することが難しい。もちろん、特許文献２に開示される集魚装置は、水中に投入することを想定していないし、投入したとしても、却って冷却ができなくなったり、水中に投入しにくかったりして、水中の狙い通りの場所に投入することが難しい。
【００２６】
上述の通り、近年では、船の上から海面だけを光で照射するだけよりも、水中で光を照射することが、集魚においては効果的であることが分かってきている。特に、高輝度の光を、水中で照射することが効果的であるが、高輝度の照射をするには、高密度実装や高輝度制御が必要となり、ＬＥＤや電子回路での発熱の処理も必要となる。
【００２７】
このように、特許文献１〜３に開示される従来技術の集魚灯は、次のような問題を有していた。
（問題１）水中に投入できないか、水中に投入しにくい構造を有しており、水中における狙い通りの場所に投入できない。
（問題２）熱処理が困難であるので、高い光量を生じさせるための、ＬＥＤの高密度化や高輝度化の実現が困難である。
（問題３）３次元的に多角的な光の照射が困難である。
（問題４）問題１〜３を解決しつつも、取扱が容易で小型で簡易な構成を実現できない。
【００２８】
本発明は、以上の課題に鑑み、取扱容易で構造が簡易でありながら、水中に投入が容易でありつつ、熱処理も可能である、水中に投下して使用可能な集魚灯を提供することを目的とする。
【課題を解決するための手段】
【００２９】
上記課題を解決するために、本発明の集魚灯は、水中に投入して使用可能な集魚灯であって、複数の発光素子を実装する板状の実装部材であって、３枚以上の複数の実装部材と、複数の実装部材のそれぞれの端部が縦方向に接続されることで形成される中空空間と、発光素子を防水する防水カバーと、を備え、中空空間は、集魚灯が水中に投入される落下方向に沿って形成されており、中空空間には、集魚灯が水中に投入されるに従って水が流入して集魚灯の浮力を減少させると共に、水が流入して複数の実装部材を冷却する。
【発明の効果】
【００３０】
本発明の集魚灯は、ＬＥＤ素子を実装した３以上の板状の実装部材が、中空空間を形成する。この中空空間は、水中に投入する投入方向に略平行に沿っているので、集魚灯は、この中空空間に水を入れることで、簡単に水中に沈められるようになる。
【００３１】
加えて、この中空空間は、実装部材の裏面の組み合わせによって構成されるので、浮力を減少させて集魚装置が水中に沈みやすくなると共に、実装部材の裏面を通じて、中空空間に入り込んで移動する水によって発光素子や回路基板が冷却される。
【００３２】
また、集魚装置は、中空空間が、水中に沈む方向に沿っているのに加えて、中空空間に沿った外側に、複数の発光素子が実装されているので、水中に沈められた集魚装置は、水中の水平方向の周囲に、光を照射できる。
【００３３】
加えて、集魚装置は、すくなくとも３面の発光素子の実装部材を有しているので、水中において周囲を３次元的に照射することができ、高い集魚効果を発揮できる。
【図面の簡単な説明】
【００３４】
【図１】本発明の実施の形態１における集魚灯の斜視図である。
【図２】本発明の実施の形態２における集魚灯の使用態様を示す説明図である。
【図３】本発明の実施の形態１における集魚灯を上から見た模式図である。
【図４】本発明の実施の形態１における集魚灯の斜視図である。
【図５】本発明の実施の形態１における６角形状の集魚灯の上面図である。
【図６】本発明の実施の形態２における集魚灯の側面図である。
【図７】本発明の実施の形態２における集魚灯１の内部を透視状態とした側面図である。
【図８】本発明の実施の形態２における実装部材の側面図である。
【図９】本発明の実施の形態２における実装部材の表面図である。
【図１０】本発明の実施の形態２における実装部材の表面図である。
【図１１】本発明の実施の形態３における実際の試作品の斜視図である。
【図１２】本発明の実施の形態３における実際の試作品の集魚灯の上面図である。
【発明を実施するための形態】
【００３５】
本発明の第１の発明に係る集魚灯は、水中に投入して使用可能な集魚灯であって、複数の発光素子を実装する板状の実装部材であって、３枚以上の複数の実装部材と、複数の実装部材のそれぞれの端部が縦方向に接続されることで形成される中空空間と、発光素子を防水する防水カバーと、を備え、中空空間は、集魚灯が水中に投入される落下方向に沿って形成されており、中空空間には、集魚灯が水中に投入されるに従って水が流入して集魚灯の浮力を減少させると共に、水が流入して複数の実装部材を冷却する。
【００３６】
この構成により、集魚灯は、水中に沈めやすいと共に、海水等の水が流入して、発光素子などから発生する熱を、効率的に冷却できる。
【００３７】
本発明の第２の発明に係る集魚灯では、第１の発明に加えて、複数の実装部材のそれぞれは、その裏面を中空空間に対向させ、表面に複数の発光素子を実装する。
【００３８】
この構成により、水が流入する中空空間は、発光素子を実装する実装部材の裏面を形成して、裏面から発光素子等の熱を冷却できる。
【００３９】
本発明の第３の発明に係る集魚灯では、第１又は第２の発明に加えて、中空空間は、集魚灯の縦方向の上部に上部開口部を有し、集魚灯の縦方向の下部に下部開口部を有する。
【００４０】
この構成により、中空空間は、水の流入と流出を容易に行え、中空空間での水の移動を実現できる。この水の移動によって、中空空間は、実装部材を裏面から冷却できる。
【００４１】
本発明の第４の発明に係る集魚灯では、第３の発明に加えて、集魚灯が水中に投入される際には、下部開口部もしくは上部開口部から中空空間に水が流入して、流入した水が上部開口部もしくは下部開口部より吐出されることで、集魚灯の浮力が減少すると共に、複数の実装部材の裏面の熱が奪われる。
【００４２】
この構成により、中空空間は、集魚灯の沈み込みと冷却とを両立できる。
【００４３】
本発明の第５の発明に係る集魚灯では、第４記載の発明に加えて、複数の実装部材が３枚の場合には、中空空間の上部開口部および下部開口部のそれぞれは、略三角形を有し、複数の実装部材が４枚の場合には、上部開口部および下部開口部のそれぞれは、略四角形を有し、複数の実装部材が５枚以上の場合には、上部開口部および下部開口部のそれぞれは、当該枚数に合わせた多角形を有する。
【００４４】
この構成により、中空空間は、用途や仕様によって、様々に形成できる。
【００４５】
本発明の第６の発明に係る集魚灯では、第１から第５のいずれかの発明に加えて、複数の実装部材のそれぞれは、長辺と短辺を有する長方形の板状であり、複数の実装部材のそれぞれの長辺同士が接続されることで、縦方向に長い中空空間が形成される。
【００４６】
この構成により、中空空間は、集魚灯を沈めやすくできるし、面積対体積比で、実装部材の冷却をも容易とする。
【００４７】
本発明の第７の発明に係る集魚灯では、第３から第６のいずれかの発明に加えて、上部開口部および下部開口部とは、水中への投入時の圧力、水中での水圧差、水中での温度差および水中での潮目変化の少なくとも一つによって、中空空間の水を移動させ、複数の実装部材の裏面の熱を奪う。
【００４８】
この構成により、中空空間は、水の移動を促進させて、実装部材の裏面から熱を奪う。
【００４９】
本発明の第８の発明に係る集魚灯では、第３から第７のいずれかの発明に加えて、中空空間の中央付近の横断面積は、上部開口部および下部開口部の開口面積よりも小さい。
【００５０】
この構成により、中空空間内部での水の圧力差や温度差が生じやすくなり、水の内部での移動が促進される。
【００５１】
本発明の第９の発明に係る集魚灯では、第１から第８のいずれかの発明に加えて、中空空間は、水の移動を促進する回転ファンおよび吸引ポンプの少なくとも一方を内部に備える。
【００５２】
この構成により、中空空間での水の移動が激しくなり、実装部材の冷却が更に促進される。
【００５３】
本発明の第１０の発明に係る集魚灯では、第１から第９のいずれかの発明に加えて、集魚灯は、中空空間が水中に対して略垂直方向に水を流入させるので、複数の実装部材の表面に実装されている複数の発光素子は、水中において略横方向に、光を照射する。中空空間の開口部が略横方向の状態で光を照射することも可能である。
【００５４】
この構成により、集魚灯は、水中において所定の姿勢での光の照射を実現できる。
【００５５】
本発明の第１１の発明に係る集魚灯では、第１から第１０のいずれかの発明に加えて、実装部材の少なくとも表面は、防水されている。
【００５６】
この構成により、集魚灯は、水中で容易に使用できる。
【００５７】
本発明の第１２の発明に係る集魚灯では、第１から第１１のいずれかの発明に加えて、複数の実装部材のある実装部材の表面に実装されている発光素子と、別の実装部材の表面に実装されている発光素子は、輝度および色度の少なくとも一つは異なる発光が可能である。
【００５８】
この構成により、集魚灯は、魚の種類や特性に応じた、集魚を可能とする。
本発明の第１３の発明に係る集魚灯では、第１から第１２のいずれかの発明に加えて、複数の実装部材のそれぞれは、中空空間および集魚灯全体の外形を形成する外板、外板に積層される熱伝導率の高い基材、基材に積層される回路基板および回路基板にベアチップ実装される発光素子を備えて板状である。
【００５９】
この構成により、中空空間は、実装部材、特に実装部材に実装されている発光素子や回路基板を効率的に冷却できる。なお、ベアチップが、外板に積層される熱伝導率の高い基材に直接ダイボンデング実装され、回路基板電極とチップ電極とがワイヤーボンデングされた構成でも良い。
本発明の第１４の発明に係る集魚灯では、第１３の発明に加えて、複数の実装部材のそれぞれは、中空空間および集魚灯全体の外形を形成する外板、外板に積層される熱伝導率の高い基材、および基板にベアチップ実装される発光素子を備える板状を有する。
この構成により、実装部材が、非常に簡略な構成で形成されると共に、発行と外形形成とを両立できる。
本発明の第１５の発明に係る集魚灯では、第１３又は第１４の発明に加えて、発光素子および回路基板が発生する熱は、基材を介して、外板に伝導される。
【００６０】
この構成により、中空空間を移動する水によって、発光素子や回路基板から生じる熱が冷却される。
本発明の第１６の発明に係る集魚灯では、第１から第１５のいずれか記載の実装部材の裏面であって中空空間を形成する面は、凸凹を有している。
【００６１】
この構成により、実装部材の裏面でカルマン渦などの発生による高い冷却効果が生じる。
【００６２】
以下、図面を用いて、本発明の実施の形態について説明する。
【００６３】
（実施の形態１）
【００６４】
実施の形態１について説明する。
【００６５】
（全体概要）
まず、図１、図２を用いて、実施の形態１における集魚灯の全体概要を説明する。図１は、本発明の実施の形態１における集魚灯の斜視図である。図２は、本発明の実施の形態２における集魚灯の使用態様を示す説明図である。
【００６６】
まず、集魚灯１は、図２に示されるように、水上（海、湖、池、川など）で操船される漁船５０で使用される。特に、図２に示されるように、漁船５０から水面１００から水中１０１に投入されて、水中１０１において使用可能である。このため、集魚灯１は、水中１０１内部で使用されて、水中１０１内部に光を照射する。すなわち、集魚灯１０１は、水中１０１で光を照射して、水中を回遊等する魚を引き寄せて所望の場所に集めることを目的とする。この点で、漁船５０から水面１００（あるいはせいぜい水面１００の下部分）に光を照射するに過ぎない従来技術での集魚灯とは、その目的が異なる。
【００６７】
集魚灯１は、３枚以上の複数の実装部材３、中空空間４、防水カバー６、実装部材３の表面に実装される複数の発光素子５を備える。
【００６８】
図１においては、４枚の実装部材３Ａ〜３Ｄが設けられており、実装部材３Ａ〜３Ｄのそれぞれは、板状の部材である。この板状の部材である実装部材３Ａ〜３Ｄのそれぞれの端部が縦方向に沿って接続される。このような板状部材である実装部材３Ａ〜３Ｄのそれぞれの隣接する端部同士が接続されることで、図１に示されるように、接続後の実装部材３Ａ〜３Ｄに囲まれた空間に、中空空間４が形成される。
【００６９】
このとき、板状部材である実装部材３Ａ〜３Ｄのそれぞれが製造されてから、溶着、接着、溶接などで事後的に接続されて中空空間４が形成されても良い。あるいは、予め中空空間４を有するように周囲が囲まれた立体が、鋳型、押し型、金型、研削などの工程で形成されておき、形成された立体の各面（中空空間４の周囲の各面）が、板状である実装部材３Ａ〜３Ｄとして把握されてもよい。
【００７０】
要は、３以上の板状の実装部材３の隣接する端部同士が接続・組み合わされて、実装部材３の裏面同士が囲む空間が、中空空間４となり、実装部材３の表面は、集魚灯１の外側を向くようになればよい。
【００７１】
また、実装部材３が３枚以上であることで、実装部材３の隣接する端部同士が接続されると、必ず立体である中空空間４が形成される。実装部材３が２枚であると、端部同士が接続されても、空間が生じないことになり、中空空間４は、形成されない。もちろん、図１に示されるように、実装部材３が４枚であると、四角形（方形）の横断面を有する中空空間４が形成される。
【００７２】
実装部材３Ａ〜３Ｄのそれぞれの表面には、複数の発光素子５を実装していている。発光素子５は、主にＬＥＤを用いる。またＬＥＤ表面に蛍光体を分散させた有機物で被覆したものでもよい。複数の発光素子５には、集魚灯１として照射したい光量、光の到達度、輝度、色度などに合わせた素子が採用されればよい。このため、実装部材３Ａ〜３Ｄのそれぞれは、表面に複数の発光素子５を実装して、集魚灯１の外部に光を照射し、裏面で中空空間４を形成する。中空空間４は、複数の実装部材３Ａ〜３Ｄのそれぞれの裏面に接触することになる。
【００７３】
また、集魚灯１は、水中１０１に投入されて使用されることを前提としているので、少なくとも発光素子５を防水する防水カバー６を備えている。ここで、図１では、図示と見易さの都合上、半円柱状の防水カバー６が、実装部材３Ａの表面（実装部材３Ａの表面に実装されている発光素子５を覆うように）に装着されている状態が示されている。もちろん、他の実装部材３Ｂ〜３Ｄのそれぞれにも、防水カバー６が装着されていればよい。
【００７４】
防水カバー６は、発光素子５（およびこれを実装する回路基板や電気配線）を防水できればよいので、実装部材３Ａ〜３Ｄのそれぞれに個別に防水カバー６が設けられてもよいし、複数の実装部材３Ａ〜３Ｄの組み合わせで構成される本体部２全体を覆うように、防水カバー６が設けられてもよい。防水カバー６は、樹脂などの耐久性、強度を有しつつ、発光素子５の光を外部に露出できる素材で形成されることが好ましい。
【００７５】
集魚灯１は、図２に示されるように、漁船５０から水面１００を通じて、水中１０１に投入される。このとき、集魚灯１の本体部２は、縦方向と横方向を有しているが、全体として縦方向に長い形状を有している。この縦方向に沿って、複数の実装部材３Ａ〜３Ｄが、長辺同士を接続させて本体部２を形成しているので、中空空間４も縦方向に沿って形成される。このため、中空空間４は、横断面よりも縦方向の方が長い（大きい）。
【００７６】
集魚灯１が、水中１０１に投下される際には、この本体部２（集魚灯１）の縦方向に投入されやすくなる。このため、中空空間４は、集魚灯１が水中１０１に投入される落下方向に沿って形成されていることになる。集魚灯１が水中１０１に投入されるに従って、この中空空間４に水が流入する。水が流入すれば、中空空間４内部は、流入した水で充填される。この水の充填によって、集魚灯１の浮力が減少すると共に中空空間４を形成する複数の実装部材３Ａ〜３Ｄ（特にその裏面）が、冷却される。
【００７７】
また、集魚灯１は、水中１０１に中空空間４の開口部が横向きになるように投入されても良い。集魚灯１が水中１０１に投入されるに従って、この中空空間４は水で充填される。この水の充填によって、集魚灯１の浮力が減少すると共に中空空間４を形成する複数の実装部材３Ａ〜３Ｄ（特にその裏面）が、冷却される。
中空空間４内に充填された水は、その温度上昇によって生ずる温度差や水中での潮目変化（潮流）の少なくとも一つによって、移動するため、複数の実装部材の裏面の熱を安定して奪うことができる。矢印Ａは、水の流入方向の一例を示しているだけである。
【００７８】
このように、中空空間４は、集魚灯１を水中１０１に投入する際に悪影響となる浮力を減少させて目的の位置にまで沈めると共に、発熱の大きな発光素子５（およびその回路基板）を実装している実装部材３Ａ〜３Ｄそのものも、その裏面から冷却できる、二重の役割を有している。
【００７９】
また、中空空間４を形成する複数の実装部材３Ａ〜３Ｄのそれぞれの表面は、複数の発光素子５を実装している。水中に投入された集魚灯１は、中空空間４に水が流入することで、その姿勢が縦方向に安定しやすくなる（もちろん、操作によって横方向や斜め方向に、その姿勢を安定させてもよい）。この結果、水中において、周囲を効率的に照射することができ、所望の魚を所望の範囲に集めることも可能となる。
【００８０】
このように、実施の形態１における集魚灯１は、効率的かつ簡易な構成によって、水中での集魚作業を実現できる。
【００８１】
なお、図１に示されるように、発光素子５や回路基板に電力を供給する電気信号線２０が備わっていてもよい。
【００８２】
（水中への投入の容易性）
集魚灯１は、水中１０１に投入して（沈めて）使用することを予定されている。海水、淡水などに関らず、水は一定の比重（浮力）を有しているので、集魚灯１を沈めることは難しいことが多い。特に、集魚灯１は、発光素子５をその表面に実装しておく必要があるが、この場合にはどうしても防水カバー６の装着が必要となる。防水カバー６が装着される場合には、内部に密封空気空間が生じること、および集魚灯１全体の形状が単純形状（全体として筒状、球状など）となること、の２つの問題を引き起こす。このような２つの問題を有していると、集魚灯１は、比重の問題をクリアしても水中１０１に沈みにくくなる。
【００８３】
このような集魚灯では、比重をより大きくするか、外形を複雑形状とするかのいずれかが必要となる。いずれの場合であっても、製造の手間やコストが上がる上、漁船５０での取り扱いや作業が煩雑となったり、危険となったりする。このような集魚灯は、普及にとってもデメリットが高い。
【００８４】
これに対して、実施の形態１の集魚灯１は、複数の実装部材３Ａ〜３Ｄの組み合わせによって形成される単純形状の本体部２および外部の防水カバー６によって、全体として単純かつ取扱の容易な外形を有している。にもかかわらず、水中１０１への投入方向に沿った中空空間４に、投入時に容易に水が流入することで、集魚灯１の浮力が減少して、水中１０１に沈みやすくなる。このため、製造も取り扱いも容易でかつ危険性の少ない集魚灯１でありながら、水中１０１の所望の場所に投入して、水中１０１で周囲を照らすことができる。図２は、水中１０１の所望の場所に投入された２つの集魚灯１が、周囲を照らしている状態を示している。
【００８５】
なお、集魚灯１が、水中１０１により容易に沈みやすくなるように、本体部２の一部に錘が取り付けられていることも好適である。
【００８６】
（冷却）
中空空間４は、複数の実装部材３Ａ〜３Ｄの裏面に囲まれて形成されている。複数の実装部材３Ａ〜３Ｄのそれぞれの表面は、図１に示されるとおり、複数の発光素子５を実装している。なお、図１、２などでは、図示の容易性といやすさの点から、実装部材３Ｃ，３Ｄには発光素子５が示されていないが、実装されていないわけではなく、図示の都合上で表示していないだけである。実際には発光素子５が実装されている。
【００８７】
中空空間４は、このように複数の実装部材３Ａ〜３Ｄの裏面で囲まれて形成されるので、言い換えれば、中空空間４は、実装部材３Ａ〜３Ｄの裏面に接している。中空空間４には、集魚灯１の水中１０１への投入によって、水が流入する。使用される場所が海であれば、海水が中空空間４に流入し、湖や川であれば、淡水が中空空間４に流入する。
【００８８】
ここで、図１や図２に示されるように、中空空間４は、集魚灯１の縦方向の上部に上部開口部４１を有し、下部に下部開口部４２を有する。中空空間４は、一つの外周を囲むようにして複数の実装部材３Ａ〜３Ｄの端部同士が接続して形成される。この結果、上部と下部に開口部が生じる。これが上部開口部４１と下部開口４２である。上部開口部４１と下部開口部４２によって、中空空間４内部には水が流入すると共に、外部環境等に応じて、中空空間４内部の水が流入と流出（すなわち入れ替わり）を行う。
【００８９】
図２に示されるように、集魚灯１が水面１００から水中１０１に投入される際には、矢印Ｃのように、下部開口部４２から中空空間４に水が流入し、中空空間４に水が充填される。更に、中空空間４で水が移動して、矢印Ｂのように、上部開口部４１から中空空間４を移動した水が流出する。もちろん、逆方向として、上部開口部４１から中空空間４に水が流入し、中空空間４が水で充填されつつ水が移動し、下部開口部４２から水が流出してもよい。
【００９０】
もちろん、逆に、上部開口部４１から水が中空空間４に流入し、中空空間４に水が充填される。更に、水が中空空間４を移動して、下部開口部４２から水が流出してもよい。これらは、潮目、水圧、環境、集魚灯の投入、その他の状況によっていずれにもなりえる。
【００９１】
図２では、後者のように、上部開口部４１から水が入るように示されているが、これは一例であり、これに限定されるものではなく、前者のように、下部開口部４２から上部開口部４１に水が流入、流出しても良いものである。いずれであっても、集魚灯の水中１０１への沈めこみと実装部材３の冷却を実現できるからである。
【００９２】
このように、水中１０１に集魚灯１が投入されれば、中空空間４に水が流入したり、水が移動（流入と流出による入れ替わり）したりするので、実装部材３Ａ〜３Ｄの裏面の熱が剥ぎ取られるようになる。
【００９３】
実装部材３Ａ〜３Ｄのそれぞれは、上述の通り、表面に複数の発光素子５を実装している。発光素子５は、制御信号などを受けるための配線や実装素子などの回路基板も必要とするので、実装部材３Ａ〜３Ｄのそれぞれでは、発光素子５および回路基板での発熱が生じてしまう。これらの発光素子５や回路基板で発生する熱は、実装部材３Ａ〜３Ｄを伝導して、実装部材３Ａ〜３Ｄの裏面に到達する。
【００９４】
実装部材３Ａ〜３Ｄの裏面のそれぞれは、水の充填もしくは水の移動によって水と接触している（あるいは水の移動と接触している）ので、伝導された熱を奪い取ることができる。中空空間４は、浮力を減少させて集魚灯１を沈めるだけでなく、実装部材３Ａ〜３Ｄの表面で発生する熱をも減少（排出）させることができる。
【００９５】
また、中空空間４は、図２に示されるように、上部開口部４１と下部開口部４２とを有している。このため、集魚灯１が水中へ投入される際の圧力、水中での水圧差、水中での温度差および水中での潮目変化の少なくとも一つによって、中空空間４は、水の流入、移動、流出を実現できる。この水の流入と流出による、中空空間４内部の水の入れ替えによって、実装部材４の熱がより効率的に奪われて冷却される。
【００９６】
このように、中間空間４は、浮力の減少による沈み込みと実装部材３の冷却とを兼用できる。
【００９７】
（中空空間）
次に、中空空間の詳細等について説明する。
【００９８】
図３は、本発明の実施の形態１における集魚灯を上から見た模式図である。図３に示される集魚灯１は、３枚の実装部材３Ａ〜３Ｃによって構成されている。また、実装部材３Ａ〜３Ｃ端部同士が接続されて形成される本体部２に、本体部２の外形を形成しつつ集魚灯１の取扱を容易にするために筐体２１が設けられてもよい。筐体２１は、縦長となる集魚灯１の設置時の支持の役割を果たす。
【００９９】
図３の集魚灯１では、３枚の実装部材３Ａ〜３Ｃの端部同士が接続されるので、横断面形状が三角形となる中空空間４が形成される。言い換えれば、上部開口部４１および下部開口部４２のそれぞれが、略三角形となる。もちろん、４枚の実装部材３が用いられる場合には、上部開口部４１および下部開口部４２のそれぞれは、略四角形（略方形）となり、５枚以上の実装部材３が用いられる場合には、上部開口部４１および下部開口部４２のそれぞれは、枚数に合わせた略多角形となる。
【０１００】
もちろん、上部開口部４１および下部開口部４２の間が分割された形状を有してもよい。あるいは、上部開口部４１と下部開口部４２とのそれぞれの形状、大きさに相違があってもよい。
【０１０１】
また、複数の実装部材３のそれぞれは、図１に示されるように長辺と短辺とを有する長方形の板状であり、複数の実装部材３のそれぞれの長辺同士が接続されることで、本体部２が形成されることも好適である（すなわち、中空空間４が形成される事が好適である）。このような形成によって、集魚灯１は、全体として縦長となり、水中１０１に沈めやすくなる。
【０１０２】
また、中空空間４も縦方向に長い形状となるので、集魚灯１が水中１０１に沈められる際に、水が入りやすくなって浮力を減少させやすくなる。特に、水が流入した後での集魚灯１の姿勢を保ちやすくなる効果も生じさせるので、集魚灯１の使用性が高まる。
【０１０３】
もちろん、使用態様や使用における要望に応じて、集魚灯１および中空空間４が横長であることでもよい。また、複数の本体部２が縦方向に連結されることで、集魚灯１が構成されてもよい。
【０１０４】
（防水）
図４は、本発明の実施の形態１における集魚灯の斜視図である。図４に示されるように、集魚灯１の本体部２の周囲は、防水カバー６によって防水されていることも好適である。防水カバー６は、図１に示されるように、電子部品である発光素子５や回路基板を防水できれば十分であるが、実装部材３によって構成される本体部２全体を（中空空間４を除いて）覆うことでもよい。図４に示されるように、防水カバー６が本体部２を覆うことで、防水がより確実となり、水中に投入されて使用される集魚灯１の、使用耐久性が向上するメリットがある。
【０１０５】
また、図４に示されるように、防水カバー６が本体部２の外周を覆うと、集魚灯１は、全体として円筒状の形状を有するようになる。円筒状の形状を有することで、外部からの衝撃に強くなる上、水中１０１で使用される場合に、障害物からの衝撃にも強くなる。あるいは、外周に角部が少なくなるので、漁獲対象となる魚への悪影響も無くなる。
【０１０６】
このように、防水カバー６は、電子部品である発光素子５や回路基板を防水するだけでなく、集魚灯１そのものの耐久性や使い勝手を向上させることもできる。もちろん、集魚灯１は船５０の上に保管されて漁業者に使用されるので、角部や複雑な外形の少ない図４のような集魚灯１は、漁業者にとっての使い勝手の向上と安全性の向上を同時実現できる。
【０１０７】
（光の照射）
集魚灯１は、その実装部材３の表面に複数の発光素子５を実装している。図３では、３枚の実装部材３Ａ〜３Ｃによって横断面が略三角形の本体部２が形成されている。このため、この３面のそれぞれに、発光素子５が実装されている状態となる。この結果、集魚灯１は、３面のそれぞれの方向に光を照射できる。水中１０１に投入されて使用される場合には、多方面（三次元的）に光が放射されることが、集魚効果から好ましい。
【０１０８】
あるいは、図１に示されるように、４枚の実装部材３Ａ〜３Ｄで本体部２が構成される場合には、集魚灯１は、４方向に光を照射できる。すなわち、より広範囲かつ多方向に光を照射できる。この多方面への光の照射によって、高い集魚効果が期待できる。
【０１０９】
あるいは、図５に示されるように、６枚の実装部材３Ａ〜３Ｆによって本体部２が構成される場合には、中空空間４の横断面も６角形となり、６枚の実装部材３Ａ〜３Ｆのそれぞれの表面に実装されている発光素子５が、６方向に光を照射する。
【０１１０】
図５は、本発明の実施の形態１における６角形状の集魚灯の上面図である。図５は、集魚灯１を上方から見た状態を示している。中空空間４は、略６角形となっており、実装部材３Ａ〜３Ｆのそれぞれが、それぞれの方向に向けて光を照射している。この場合には、広い範囲で光を拡散させることができる。
【０１１１】
もちろん、これら光を照射する発光素子５および発光素子５に必要な回路基板とは、発生させる熱を実装部材３に伝導させる。実装部材３は、その裏面を中空空間４内部の水に接触させる。中空空間４に注入される水は、移動することが多いので、この水の移動によって、裏面の熱が奪い取られるので、発光素子５の発光が発熱によって妨げられることが少ない。
【０１１２】
発光素子５は、強い電力を付与されれば、それだけ高い輝度を生じさせるようになる。高い輝度を生じることは、集魚灯１が、高い光量で、水中１０１の周囲を照射することができる。この照射によって、高い集魚効果が期待できるようになる。
【０１１３】
また、中空空間４に水が流入することで、水中１０１における集魚灯１の姿勢が安定することで、図３や図５に示される光の照射方向は、水中１０１の平面方向を中心とした三次元的な方向となる。この結果、水中１０１を回遊する回遊魚を効率的に集めることができるようにもなる。
【０１１４】
また、中空空間４を形成するために、複数の実装部材３のそれぞれは、交差角を有しつつも、背中合わせであるので、集魚灯１は、外部に向けて光を照射できる。この結果、少ない集魚灯１で、広い範囲を照らすことができる。もちろん、集魚灯１の発光状態を調整しつつ、複数の集魚灯１を用いることで、ある一定の範囲の光を強くすることができるので、集魚効果を高めることができる。
【０１１５】
以上のように、実施の形態１における集魚灯１は、実装部材３の組み合わせで形成される中空空間４によって、浮力を減少させる役割、発光素子５や回路基板を冷却する役割、発光素子の光の照射方向を固定する役割および集魚灯１の水中１０１での姿勢を制御する役割のそれぞれを、一度にバランスよく実現できる。
【０１１６】
この結果、集魚灯１は、水中１０１で、効率的に集魚を行える。
【０１１７】
（実施の形態２）
次に、実施の形態２について説明する。
【０１１８】
実施の形態２では、実施の形態１で説明した集魚灯１の各種工夫について説明する。
【０１１９】
（中空空間の形状やその他）
図６は、本発明の実施の形態２における集魚灯の側面図である。図６は、集魚灯１であって、特に複数の実装部材３の組み合わせによって形成される本体部２を側面から見た状態を示している。また、実装部材３の組み合わせによって形成される中空空間４が透視される状態で示されている。
【０１２０】
中空空間４は、本体部２において縦方向に形成される。特に、板状の実装部材３の端部同士の接続によって、中空空間４が形成されるので、通常は一定の断面積を有する筒状の形状を有する。すなわち、上部開口部４１、中央付近、下部開口部４２のそれぞれでの横断面形状、横断面積は大体一定である。
【０１２１】
しかし、図６に示される集魚灯１では、上部開口部４１および下部開口部４２の開口面積（横断面積）よりも、中央付近４３の横断面積が小さい。すなわち、中空空間４は、中央付近４３がくびれたような形状を有している。このようにくびれた形状を有すると、中空空間４への水の流入や流出が行われる上部開口部４１や下部開口部４２の開口面積が大きいのに加えて、中央付近４３の横断面積が小さいことで、中空空間４内部での圧力差が生じやすくなる。この圧力差が生じやすくなることで、中空空間４は、流入した水の移動をより強くできる。
【０１２２】
中空空間４は、内部の水の移動によって、接触する実装部材３の裏面の熱を奪いやすくなる。特に、流体による熱の剥ぎ取り効果によって、中空空間４を移動する水が、実装部材３の裏面の熱を、より効果的に奪う。
【０１２３】
実装部材４の表面に実装されている発光素子５や回路基板の熱は、実装部材３の裏面に伝導する。中空空間４を移動する水が、この裏面の熱を奪うことで、結果的に発光素子５や回路基板の発熱が抑えられる。抑えられれば、より強い電力を発光素子５に付与することができるようになり、集魚灯１の発光効率や発光量が大きくなる。
【０１２４】
あるいは、中空空間４は、水の移動を促進する回転ファンおよび吸引ポンプの少なくとも一方を、その内部に備えることも好適である。図７は、本発明の実施の形態２における集魚灯１の内部を透視状態とした側面図である。図７では、中空空間４内部に、回転ファン４５Ａ、４５Ｂ、４５Ｃが設けられていることを示している。
【０１２５】
ここで、中空空間４は、回転ファン４５Ａ，４５Ｂ、４５Ｃの全てを備えなければならないわけではなく、回転ファン４５Ａ，４５Ｂ、４５Ｃのいずれか一つあるいはいずれか２つを設けてもよい。上部開口部４１に近い場所に、回転ファン４５Ａが設けられることで、上部開口部４１からの水の流入が促進される。あるいは、中央付近４３に回転ファン４５Ｂが設けられることで、中空空間４内部での水の移動が促進される。あるいは、下部開口部４２付近に回転ファン４５Ｃが設けられることで、下部開口部４２からの水の流入が促進される。あるいは、それぞれの回転ファン４５Ａ〜４５Ｃによって、水の流出が促進される。
【０１２６】
このように、回転ファン４５Ａ〜４５Ｃが、中空空間４内部に設けられることで、中空空間４は、より効率よく水を流入させたり水を流出させたりすることができて、水の移動を促進できる。水の移動が促進されれば、実装部材３の裏面の熱がより効率的に奪われて、発光素子５等の熱が冷却される。
【０１２７】
また、中空空間４は、複数の実装部材４の裏面同士が形成している。中空空間４内部の水が、裏面を冷却する。この冷却をより効率的にするために、裏面に凸凹を有していることも好適である。凸凹が形成されることで、中空空間４を移動する水に、この凸凹の周囲にカルマン渦を生じさせる。このカルマン渦によって、移動する水が、実装部材３の裏面をより効率的に冷却できる。
【０１２８】
このように、冷却能力が向上することで、発光素子５や回路基板の冷却が実現されて、これ等電子部品へ供給される電力を大きくできる。この結果、発光素子５の輝度を大きくできるようになる。発光素子５の輝度が大きくできれば、水中１０１での集魚効果が高まるメリットが生じる。
【０１２９】
なお、集魚灯１は、中空空間４が、水中１０１において略垂直に水を流入、流出させる場合には、複数の実装部材３のそれぞれの表面に実装されている発光素子５は、水中１０１において、周囲に向かった略横方向に光を照射するようになる。
【０１３０】
（実装部材の構造）
３枚以上の複数の実装部材３の端部同士が接続されることで、中空空間４が形成されて、集魚灯１の全体外形が形成される。
【０１３１】
このため、実装部材３は、その表面においては発光素子５を実装する役割を果たす。一方、裏面においては、中空空間４を形成しつつ、中空空間４を移動する水による冷却を受ける役割を果たす。加えて、複数の実装部材３の組み合わせは、本体部２である集魚灯１の全体外形を形成する。このように、実装部材３は、一つの要素で、様々な役割を同時実現できる。
【０１３２】
ここで、実装部材３は、裏面での冷却が、表面に実装されている発光素子５の冷却に効率的に繋がることが重要である。
【０１３３】
図８は、本発明の実施の形態２における実装部材の側面図である。実装部材３は、平板状の部材であり、表面３２と裏面３１とを有する。この裏面３１が、中空空間４を形成して、中空空間４を移動する水によって熱を奪われる。
【０１３４】
実装部材３は、この裏面３１となって中空空間４の外形（集魚灯１の外形）を形成する外板３３、この外板３３に積層される熱伝導率の高い素材で形成された基材３４、この基材３４に積層される回路基板３５を有する。また、発光素子５は、この回路基板３５にベアチップ実装される。
【０１３５】
回路基板３５は、電子素子である発光素子５をベアチップ実装すると共に、発光素子５に電力や制御信号を供給する回路、配線パターンを有している。このため、発光素子５および回路基板３５が、熱を生じさせる。
【０１３６】
この熱は、回路基板３５から熱伝導率の高い素材で形成された基材３４に伝導される。外板３３も、熱伝導率の高い素材であり、基材３４から伝導された熱を受ける。熱伝導率の高い素材として、金、銀、銅、アルミニウム、これらの合金などが用いられる。基材３４、外板３３が、これらの熱伝導率の高い素材で形成されることで、発光素子５や回路基板３５で発生した熱は、容易に実装部材３の裏面３１に伝導される。この結果、裏面３１での冷却を通じて、発光素子５などの熱が奪われて、発光に関る発光素子５や回路基板３５の冷却が効率よく図られる。
【０１３７】
特に、発光素子５がベアチップ実装されていることで、発光素子５の熱は簡単に回路基板３５に移動し、回路基板３５から基材３４を介して熱が外板３３に伝導される。外板３３は、当然ながら、中空空間４を形成するので、中空空間４内部の水によって、効率的に冷却される。このようにして、集魚灯１の外形が形成されると共に、発光素子５等の発熱が冷却される。
【０１３８】
また、実装部材３は、裏面３１となって中空空間４の外形（集魚灯１の外形）を形成する外板３３、この外板３３に積層される熱伝導率の高い素材で形成された基材３４を有し、発光素子５が、この基板３４に直接ベアチップ実装されてもよい。この場合には、回路基板電極とチップ電極とがワイヤーボンデングにて接続されている。発熱体である発光素子５が、直接基板３４に実装されるため、発光素子５の冷却効率は更に高まる。
【０１３９】
このように、実装部材３は、様々な役割を同時実現できる。
【０１４０】
また、複数の実装部材３のそれぞれは、中空空間４および前記集魚灯全体１の外形を形成する外板、外板に積層される熱伝導率の高い基材、および基板にベアチップ実装される前記発光素子を備える板状を有する形態を有していてもよい。すなわち、実装部材３は、発光素子５を実装しつつ、集魚灯１を形成し、更には集魚灯１を沈めつつ発光素子５の発熱を冷却する機能を実現できる素材、構成、構造、部材で形成されれば良いものである。
【０１４１】
（発光素子の種々の制御）
実装部材３は、複数が用意され、実装部材３のそれぞれには、複数の発光素子５が実装される。このため、集魚灯１は、発光素子５の発光において様々な制御を実現できる。
【０１４２】
例えば、ある実装部材３Ａの表面に実装されている発光素子５と、別の実装部材３Ｂの表面に実装されている発光素子５とは、輝度および色度の少なくとも一つは異なる発光を行ってもよい。図示していないが、本体部２の内部もしくは外部に制御部が備わっており、この制御部によって、実装部材３のそれぞれでの、発光素子５の輝度や色度を変えることも好適である。
【０１４３】
ある方向にはより明るい発光を照射し、別の方向には弱い発光を照射することが、集魚に好適であることもある。あるいは、ある方向には赤みの強い発光を照射し、別の方向には青みの強い発光を照射することが、集魚には好適であることもある。
【０１４４】
このような様々な制御によって、魚の種類や特質に合わせた集魚を、集魚灯１は実現できるようになる。この場合でも、実装部材３の裏面から冷却できることで、集魚灯１の様々な制御にも役立つ。
【０１４５】
また、実装部材３の表面に実装されている複数の発光素子５のそれぞれが、輝度および色度の少なくとも一つで変化してもよい。図９、図１０は、本発明の実施の形態２における実装部材の表面図である。図９、図１０のそれぞれは、ある実装部材３であって、発光素子５が実装されている表面が示されている。
【０１４６】
実装部材３の表面には、複数の発光素子５が実装されているが、複数の発光素子５のそれぞれにおいて、輝度および色度の少なくとも一方が異なった状態である。
【０１４７】
例えば、図９の実装部材３では、中央付近の発光素子５Ｂは、高い輝度を有して発光しており、周辺部の発光素子５Ａは、低い輝度を有して発光している。中央付近の発光素子５Ｂの輝度が高いことで、水中に投入された集魚灯１は、ある地点に対して収束された強い光を照射できる。収束された強い光によって、集まりやすい性質を有する魚を集めるのには、図９のような発光状態は適している。
【０１４８】
図１０の実装部材３では、輝度の高い発光素子５Ｂと輝度の低い発光素子５Ａとが互い違いに並んでいる。このようなマトリクス状の輝度の入れ替えが行われた実装部材３が、水中で光を照射することで、このような光に集まりやすい性質の魚を、集魚灯１は、集めやすくなる。
【０１４９】
また、図９、図１０の発光素子５Ａと発光素子５Ｂとは、輝度の違いで説明したが、色度の違いとして把握されてもよい。
【０１５０】
実装部材３に実装される複数の発光素子５のそれぞれが、輝度、色度などで、様々に変化させられる制御を受けることで、集めたい魚の種類や量に合わせて、集魚灯１は、フレキシブルな集魚を行うことができる。特に、集魚灯１が水中１０１で使用されることで、このようなフレキシブルな集魚が、実現されやすくなる。
【０１５１】
以上、実施の形態２における集魚灯１は、種々の工夫によって、冷却効果を高めたり、集魚効果を高めたりできる。
【０１５２】
（実施の形態３）
【０１５３】
実施の形態３について説明する。実施の形態３では、実際の試作品について説明すると共に、冷却効果を説明する。
図１１は、本発明の実施の形態３における実際の試作品の斜視図である。図１１は、発明者が実際に試作した集魚灯１を示している。
【０１５４】
集魚灯１は、４枚の実装部材３が四辺形に組み合わされることと、組み合わされた実装部材３の上下に平板１１、１２が取り付けられることで、本体部２（集魚灯１の全体外形）が形成される。また、実装部材３の周囲に、円柱状のかつ透明（もしくは半透明）の防水カバー６が取付けられている。この防水カバー６によって、実装部材３のそれぞれの表面に実装される発光素子５が防水される。
【０１５５】
また、図１１に示される集魚灯１は、４枚の実装部材３が四辺形に組み合わされているが、実装部材３のそれぞれは、縦方向に２つの領域に発光素子５を実装しており、発光力をより向上させている。また、２つの実装領域を電気的に接続するために、電気コード５１が設けられている。
【０１５６】
４枚の実装部材３が四辺形に組み合わされているので、集魚灯１の中央に、図１１に示されるように、四角形の断面を有する中空空間４が形成される。図１１では分かりにくいが、中空空間４は、上部の平板１２から下部の平板１１まで貫通している。
【０１５７】
図１２は、本発明の実施の形態３における実際の試作品の集魚灯の上面図である。図１２からわかる通り、中空空間４は、四辺形の断面を有して、上下に貫通している。このため、集魚灯１が水中に投入されれば、この中空空間４に水が流入しつつ流出して、中空空間４を水が移動することになる。
【０１５８】
また、集魚灯１は、強度を維持するために、上下の平板１１、１２同士を接続する柱１３を備えていても良い。柱１３は、集魚灯１全体の構造力を上げると共に、海中や湖中での様々な悪環境にも対応できる。
【０１５９】
このように、発明者は実際に試作品を作成し、集魚灯１の製造と使用を確認できた。
【０１６０】
また、発明者は、図１１に示される試作品を用いて、発光素子５に電力を供給して発光させながら、水中に投入することでの発光素子５（あるいはその周辺の回路基板）の温度上昇が押さえられることも実験によって確認した。
【０１６１】
（実験条件と結果）
図１１に示される試作品の集魚灯１に、フルパワーで電力を付与して、発光素子５を発光させた。また、このとき、水がためられている水槽に、この集魚灯１を投入して、上述のようにフルパワーで４５分間点灯させた。
【０１６２】
発光素子５が備わっている側面の２箇所での温度を測定した。
【０１６３】
集魚灯１を水中に投入しない、あるいは、中空空間４に水が流入しない状態では、発光素子５にフルパワーの電力を付与すると、１００℃近い温度となりかねない。
【０１６４】
しかしながら、集魚灯１は、中空空間４に水が流入することで、１箇所においては、５４℃〜６０℃となり、別の箇所においては、４６℃〜４９℃として測定された。この温度であれば、発光素子５（ＬＥＤなどが用いられる）や、これを実装する回路基板が故障したり劣化したりする可能性は非常に低い。すなわち、集魚灯１を、容易に使えるようになる。もちろん、発光素子５にフルパワーので電力を付与できるので、集魚灯１は、高輝度の発光を可能として、集魚効果を高めることができる。
【０１６５】
以上のように、実施の形態１〜２で説明した集魚灯１は、実施の形態３で説明するように、実際の試作および実験でも、良好な結果が得られた。
【０１６６】
以上、実施の形態１〜３で説明された集魚灯は、本発明の趣旨を説明する一例であり、本発明の趣旨を逸脱しない範囲での変形や改造を含む。発光部を発光素子５として説明したが、ＬＥＤと蛍光体とで構成される場合も含まれる形態も含まれる。
【符号の説明】
【０１６７】
１    集魚灯
２    本体部
３    実装部材
３１    裏面
３２    表面
３３    外板
３４    基材
３５    回路基板
４    中空空間
４１    上部開口部
１１、１２    平板
１３    柱
【図１】
2014018157.tif 000003
【図２】
2014018157.tif 000004
【図３】
2014018157.tif 000005
【図４】
2014018157.tif 000006
【図５】
2014018157.tif 000007
【図６】
2014018157.tif 000008
【図７】
2014018157.tif 000009
【図８】
2014018157.tif 000010
【図９】
2014018157.tif 000011
【図１０】
2014018157.tif 000012
【図１１】
2014018157.tif 000013
【図１２】
2014018157.tif 000014